(57)【要約】【課題】ＩＰテレビ電話システムにおいて、音声データを送受信するＩＰ電話装置と映像データを送受信する受像機用アダプタ装置との間の連携を容易に確立する。【解決手段】ＩＰ網２を介して通話先との間で音声データを送受信するＩＰ電話装置３と、このＩＰ電話装置３にルータ７を介して接続され、その通話先との間で音声データと同期させた映像データを送受信する受像機用アダプタ装置５と、その映像データに基づき映像を再生する受像機６とを備えたＩＰテレビ電話システム１において、ＩＰ電話装置３および受像機用アダプタ装置５が、ルータ７を介して互いの装置情報を交換し、この交換した装置情報に基づき相互の連携を確立するものとする。【選択図】図５
2007110491.tif 000002
【特許請求の範囲】
【請求項１】
ＩＰ網を介して通話先との間で音声データを送受信するＩＰ電話装置と、
このＩＰ電話装置にルータを介して接続され、前記通話先との間で前記音声データと同期させた映像データを送受信する受像機用アダプタ装置と、
前記映像データに基づき映像を再生する受像機と
を備えたＩＰテレビ電話システムであって、
前記ＩＰ電話装置および前記受像機用アダプタ装置は、前記ルータを介して互いの装置情報を交換し、この交換した装置情報に基づき相互の連携を確立することを特徴とするＩＰテレビ電話システム。
【請求項２】
前記ＩＰ電話装置と前記受像機用アダプタ装置とのいずれか一方は、前記連携の対象となる相手装置を検索すべく前記ルータを介して自己の装置情報を含む検索メッセージを送出する検索メッセージ送出手段と、
前記検索メッセージに応答した前記相手装置の装置情報を取得する情報取得手段と、
前記取得した装置情報に基づき前記相手装置との連携を確立する連携処理手段と
を有することを特徴とする請求項１に記載のＩＰテレビ電話システム。
【請求項３】
前記ＩＰ電話装置と前記受像機用アダプタ装置とのいずれか一方が、前記連携の対象とすべき装置の装置情報を記憶する記憶手段を更に有し、前記連携処理手段は、前記情報取得手段が取得した装置情報と前記記憶手段が記憶した装置情報とを比較し、両者が一致した場合にのみ前記連携を確立することを特徴とする請求項２に記載のＩＰテレビ電話システム。
【請求項４】
前記検索メッセージを受信したＩＰ電話装置と前記受像機用アダプタ装置とのいずれか一方が、前記検索メッセージに応じて自己の装置情報を含む応答メッセージを送出する応答メッセージ送出手段を有し、前記情報取得手段は、前記応答メッセージに含まれた前記装置情報を取得することを特徴とする請求項２に記載のＩＰテレビ電話システム。
【請求項５】
前記ＩＰ電話装置と前記受像機用アダプタ装置とのいずれか一方が、前記連携の対象とすべき装置の装置情報を記憶する記憶手段を更に有し、前記応答メッセージ送出手段は、前記検索メッセージから取得した装置情報と前記記憶手段が記憶した装置情報とを比較し、両者が一致した場合にのみ前記応答メッセージを送出することを特徴とする請求項４に記載のＩＰテレビ電話システム。
【請求項６】
前記検索メッセージが、前記連携の対象とすべき装置を特定する宛先情報を含み、前記応答メッセージ送出手段は、前記宛先情報に基づき前記応答メッセージの送出の可否を判断することを特徴とする請求項４に記載のＩＰテレビ電話システム。
【請求項７】
前記検索メッセージ送出手段は、電源が投入された際に前記検索メッセージを送出することを特徴とする請求項２に記載のＩＰテレビ電話システム。
【請求項８】
前記検索メッセージ送出手段は、前記検索メッセージを前記連携が確立されるまで所定回数だけマルチキャスト送信することを特徴とする請求項２に記載のＩＰテレビ電話システム。
【請求項９】
前記検索メッセージ送出手段は、前記マルチキャスト送信によって前連携が確立されない場合、前記検索メッセージを当該連携が確立されるまで所定回数だけブロードキャスト送信することを特徴とする請求項８に記載のＩＰテレビ電話システム。
【請求項１０】
前記ＩＰ電話装置と前記受像機用アダプタ装置とのいずれか一方が、ユーザの操作による前記連携のタイミングの設定に供する操作手段を更に有し、前記検索メッセージ送出手段は、前記操作手段におけるユーザの操作に応じて前記検索メッセージを送出することを特徴とする請求項２に記載のＩＰテレビ電話システム。
【請求項１１】
ＩＰ電話装置と連携し、前記ＩＰ電話装置の通話先との間で映像データを送受信する受像機用アダプタ装置であって、
前記連携の対象となるＩＰ電話装置を検索すべく接続されたルータに自己の装置情報を含む検索メッセージを送出する検索メッセージ送出手段と、
前記検索メッセージに応答した前記ＩＰ電話装置の装置情報を取得する情報取得手段と、
前記取得した装置情報に基づき前記ＩＰ電話装置との連携を確立する連携処理手段と
を有することを特徴とする受像機用アダプタ装置。
【請求項１２】
通話先との間で映像データを送受信する通信装置と連携しつつＩＰ網を介して音声データを送受信するＩＰ電話装置であって、
前記通信装置の装置情報を含む検索メッセージを前記通信装置から受信する受信手段と、
前記検索メッセージを受信した通信装置に対し自己の装置情報を含む応答メッセージを送出する応答メッセージ送出手段と、
前記受信した通信装置の装置情報に基づき前記通信装置との連携を確立する連携処理手段と
を有することを特徴とするＩＰ電話装置。
【請求項１３】
ＩＰ網を介して通話先との間で音声データを送受信するＩＰ電話装置と、
このＩＰ電話装置にルータを介して接続され、前記通話先との間で映像データを送受信する受像機用アダプタ装置と、
前記映像データに基づき映像を再生する受像機と
を備えたＩＰテレビ電話システムにおける通信連携方法であって、
前記ＩＰ電話装置および前記受像機用アダプタ装置が、前記ＬＡＮを介して互いの装置情報を交換するステップと、この交換した装置情報に基づき相互の連携を確立するステップとを実行することを特徴とするＩＰテレビ電話システムにおける通信連携方法。
【請求項１４】
通信先との間で通信データを送受信する第１の通信装置と、
この第１の通信装置にルータを介して接続され、前記通信先との間で前記通信データと同期させて別の通信データを送受信する第２の通信装置と
を備えた通信システムであって、
前記第１および第２の通信装置は、前記ルータを介して互いの装置情報を交換し、この交換した装置情報に基づき相互の連携を確立することを特徴とする通信システム。
【請求項１５】
通信先との間で通信データを送受信する他の通信装置と連携し、前記通信先との間で前記通信データと同期させて別の通信データを送受信する通信装置であって、
前記連携の対象となる前記他の通信装置を検索すべく自らが接続されたルータを介して自己の装置情報を含む検索メッセージを送出する検索メッセージ送出手段と、
前記検索メッセージに応答した前記他の通信装置の装置情報を取得する情報取得手段と、
前記取得した装置情報に基づき前記他の通信装置との連携を確立する連携処理手段と
を有することを特徴とする通信装置。
【発明の詳細な説明】
【技術分野】
【０００１】
本発明は、受像機をＩＰ電話装置と協働させてテレビ電話サービスを実現する受像機用アダプタ装置、ＩＰテレビ電話システムおよびＩＰテレビ電話システムにおける通信連携方法ならびに所定のマルチメディア通信を行う通信装置および通信システムに関するものである。
【背景技術】
【０００２】
近年、通信相手との間で音声や映像など様々な種類の情報を統合して通信を行うマルチメディア通信が急速に普及しつつある。この種のマルチメディア通信に用いる通信装置は、様々な種類の情報を通信するため多くの機能を要求されるが、多機能を備えた通信装置は構成が複雑となりコスト的にも不利であるため、ＩＰ電話装置やテレビジョン受像機等の既存の複数の装置を組み合わせてマルチメディア通信を実現する通信システムが存在する。
【０００３】
例えば、限定された端末能力を有する端末と、各端末の呼制御を行う制御装置とを備え、その制御装置の呼制御により扱うべき複数の情報メディア（即ち、端末）を組み合わせて各端末間でマルチメディア通信を可能にするマルチメディア通信システムにおいて、制御装置が、端末能力に応じて組み合わせるべき端末の対応関係が記述された対応関係テーブルを参照し、通信すべき情報メディアの経路を各端末の端末能力に応じた経路に分割して呼制御を行うようにした技術が知られている（特許文献１参照）。これは、呼制御を行う制御装置により、通信能力が限定された装置（音声のみを処理する電話機、映像のみを処理する端末等）を組み合わせて安価なマルチメディア通信を実現しようとするものである。
【特許文献１】特開２００１−１７７６６５号公報
【発明の開示】
【発明が解決しようとする課題】
【０００４】
しかしながら、上記特許文献１に記載のような従来技術では、電話機や端末など通信能力が限定された装置の通信能力の対応関係を記述した対応関係テーブルを予め準備するとともに、それらの装置を呼制御により組み合わせるための制御装置を設ける必要があるので、システム構成が複雑となりコストも嵩むという問題がある。特に、電話機とテレビジョン受像機を用いて構成するテレビ電話システム等のような用途が比較的限定された通信システムでは、そのような問題はより顕著となる。
【０００５】
また、上記従来技術のような対応関係テーブルや制御装置を用いることなく同様の機能を有する通信システムを実現しようとする場合、所定の装置を組み合わせて一旦連携を確立した後は、いずれかの装置において電源が遮断されるなどしてその連携が解消されても再び同じ装置同士で容易に連携可能なようにすることが望まれる。
【０００６】
本発明は、このような従来技術の問題点を解消するべく案出されたものであり、音声データを送受信するＩＰ電話装置と映像データを送受信する受像機用アダプタ装置との間の連携を容易に確立することのできる受像機用アダプタ装置、ＩＰテレビ電話システムおよびＩＰテレビ電話システムにおける通信連携方法ならびに音声、映像等の情報を個別に通信する複数の通信装置間の連携を容易に確立することのできる通信装置および通信システムを提供することを主目的とする。
【課題を解決するための手段】
【０００７】
本発明のＩＰテレビ電話システムは、ＩＰ網を介して通話先との間で音声データを送受信するＩＰ電話装置と、このＩＰ電話装置にルータを介して接続され、前記通話先との間で前記音声データと同期させた映像データを送受信する受像機用アダプタ装置と、前記映像データに基づき映像を再生する受像機とを備えたＩＰテレビ電話システムであって、前記ＩＰ電話装置および前記受像機用アダプタ装置は、前記ルータを介して互いの装置情報を交換し、この交換した装置情報に基づき相互の連携を確立することを特徴とする。
【０００８】
また、本発明の受像機用アダプタ装置は、ＩＰ電話装置と連携し、前記ＩＰ電話装置の通話先との間で映像データを送受信する受像機用アダプタ装置であって、前記連携の対象となるＩＰ電話装置を検索すべく接続されたルータに自己の装置情報を含む検索メッセージを送出する検索メッセージ送出手段と、前記検索メッセージに応答した前記ＩＰ電話装置の装置情報を取得する情報取得手段と、前記取得した装置情報に基づき前記ＩＰ電話装置との連携を確立する連携処理手段とを有することを特徴とする。
【０００９】
また、本発明のＩＰ電話装置は、通話先との間で映像データを送受信する通信装置と連携しつつＩＰ網を介して音声データを送受信するＩＰ電話装置であって、前記通信装置の装置情報を含む検索メッセージを前記通信装置から受信する受信手段と、前記検索メッセージを受信した通信装置に対し自己の装置情報を含む応答メッセージを送出する応答メッセージ送出手段と、前記受信した通信装置の装置情報に基づき前記通信装置との連携を確立する連携処理手段とを有することを特徴とする。
【００１０】
また、本発明のＩＰテレビ電話システムにおける通信連携方法は、ＩＰ網を介して通話先との間で音声データを送受信するＩＰ電話装置と、このＩＰ電話装置にルータを介して接続され、前記通話先との間で映像データを送受信する受像機用アダプタ装置と、前記映像データに基づき映像を再生する受像機とを備えたＩＰテレビ電話システムにおける通信連携方法であって、前記ＩＰ電話装置および前記受像機用アダプタ装置が、前記ＬＡＮを介して互いの装置情報を交換するステップと、この交換した装置情報に基づき相互の連携を確立するステップとを実行することを特徴とする。
【００１１】
また、本発明の通信システムは、通信先との間で通信データを送受信する第１の通信装置と、この第１の通信装置にルータを介して接続され、前記通信先との間で前記通信データと同期させて別の通信データを送受信する第２の通信装置とを備えた通信システムであって、前記第１および第２の通信装置は、前記ルータを介して互いの装置情報を交換し、この交換した装置情報に基づき相互の連携を確立することを特徴とする。
【００１２】
また、本発明の通信装置は、通信先との間で通信データを送受信する他の通信装置と連携し、前記通信先との間で前記通信データと同期させて別の通信データを送受信する通信装置であって、前記連携の対象となる前記他の通信装置を検索すべく自らが接続されたルータを介して自己の装置情報を含む検索メッセージを送出する検索メッセージ送出手段と、前記検索メッセージに応答した前記他の通信装置の装置情報を取得する情報取得手段と、前記取得した装置情報に基づき前記他の通信装置との連携を確立する連携処理手段とを有することを特徴とする。
【発明の効果】
【００１３】
このように本発明によれば、音声データを送受信するＩＰ電話装置と映像データを送受信する受像機用アダプタ装置との間の連携を容易に確立することができるという優れた効果を奏し、結果として音声および映像を用いたテレビ電話通信を容易かつ安価に実現することが可能となる。また、音声、映像等の情報を個別に通信する複数の通信装置間の連携を容易に確立することができるという優れた効果を奏し、結果として複数種類の情報を用いたマルチメディア通信を容易かつ安価に実現することが可能となる。
【発明を実施するための最良の形態】
【００１４】
上記課題を解決するためになされた第１の発明は、ＩＰ網を介して通話先との間で音声データを送受信するＩＰ電話装置と、このＩＰ電話装置にルータを介して接続され、前記通話先との間で前記音声データと同期させた映像データを送受信する受像機用アダプタ装置と、前記映像データに基づき映像を再生する受像機とを備えたＩＰテレビ電話システムであって、前記ＩＰ電話装置および前記受像機用アダプタ装置は、前記ルータを介して互いの装置情報を交換し、この交換した装置情報に基づき相互の連携を確立する構成とする。
【００１５】
これによると、ＩＰ電話装置と受像機用アダプタ装置との連携を容易に確立することができる。この場合、両者の連携のために専用の制御装置等を別途設ける必要もなく、音声および映像を用いたテレビ電話通信を容易かつ安価に実現することが可能となる。
【００１６】
上記課題を解決するためになされた第２の発明は、前記ＩＰ電話装置と前記受像機用アダプタ装置とのいずれか一方は、前記連携の対象となる相手装置を検索すべく前記ルータを介して自己の装置情報を含む検索メッセージを送出する検索メッセージ送出手段と、前記検索メッセージに応答した前記相手装置の装置情報を取得する情報取得手段と、前記取得した装置情報に基づき前記相手装置との連携を確立する連携処理手段とを有する構成とすることができる。
【００１７】
これによると、ＩＰ電話装置と受像機用アダプタ装置とのいずれか一方は、連携の対象となる相手装置（いずれか他方）を容易に検索してその装置情報を取得することができる。
【００１８】
この場合、連携の対象となる相手装置は、検索メッセージを受信することにより、いずれか一方の装置情報を取得することが可能である。なお、「装置情報」には、例えば、機器種別を示す機器種別コードなど、装置情報を受け取る側の装置が連携相手となる装置を識別し、連携の可否を判断するための情報が含まれる。
【００１９】
上記課題を解決するためになされた第３の発明は、前記ＩＰ電話装置と前記受像機用アダプタ装置とのいずれか一方が、前記連携の対象とすべき装置の装置情報を記憶する記憶手段を更に有し、前記連携処理手段は、前記情報取得手段が取得した装置情報と前記記憶手段が記憶した装置情報とを比較し、両者が一致した場合にのみ前記連携を確立する構成とすることができる。
【００２０】
これによると、連携の対象とすべき装置の装置情報を記憶手段に記憶しておくことで、適切な連携相手と連携を確立することが可能となる。この場合、連携の対象とすべき装置の装置情報として、一旦連携を確立した連携の対象となる相手装置の装置情報を記憶手段に記憶しておくことができ、これにより、その連携を解消することなく維持しておくことが可能となる。
【００２１】
上記課題を解決するためになされた第４の発明は、前記検索メッセージを受信したＩＰ電話装置と前記受像機用アダプタ装置とのいずれか一方が、前記検索メッセージに応じて自己の装置情報を含む応答メッセージを送出する応答メッセージ送出手段を有し、前記情報取得手段は、前記応答メッセージに含まれた前記装置情報を取得する構成とすることができる。
【００２２】
これによると、ＩＰ電話装置と受像機用アダプタ装置とのいずれか一方は、応答メッセージを受信することにより、連携の対象となる相手装置（いずれか他方）からその装置情報を容易に取得することができる。
【００２３】
この場合、検索メッセージおよび応答メッセージはＳＳＤＰ(Simple Service Discovery Protocol)に基づき送受信することが可能である。これにより、それぞれ装置情報を付加した検索メッセージおよび応答メッセージを容易に生成することが可能となる。
【００２４】
上記課題を解決するためになされた第５の発明は、前記ＩＰ電話装置と前記受像機用アダプタ装置とのいずれか一方が、前記連携の対象とすべき装置の装置情報を記憶する記憶手段を更に有し、前記応答メッセージ送出手段は、前記検索メッセージから取得した装置情報と前記記憶手段が記憶した装置情報とを比較し、両者が一致した場合にのみ前記応答メッセージを送出する構成とすることができる。
【００２５】
これによると、連携の対象とすべき装置の装置情報を記憶手段に記憶しておくことで、適切な連携相手に対して応答メッセージを送出することが可能となる。この場合、連携の対象とすべき装置の装置情報として、一旦連携を確立したいずれか一方の装置情報を記憶手段に記憶しておくことができ、これにより、その連携を解消することなく維持しておくことが可能となる。
【００２６】
上記課題を解決するためになされた第６の発明は、前記検索メッセージが、前記連携の対象とすべき装置を特定する宛先情報を含み、前記応答メッセージ送出手段は、前記宛先情報に基づき前記応答メッセージの送出の可否を判断する構成とすることができる。
【００２７】
これによると、検索メッセージを受信した装置（いずれか他方）は、その検索メッセージが含む宛先情報が自己を指定している場合にのみ応答メッセージを送出するので、連携相手との連携をより適切に確立することが可能となる。
【００２８】
上記課題を解決するためになされた第７の発明は、前記検索メッセージ送出手段は、電源が投入された際に前記検索メッセージを送出する構成とすることができる。これによると、電源の遮断等により一旦連携が解消された場合でも、再起動することにより速やかに再度の連携を確立することが可能となる。
【００２９】
上記課題を解決するためになされた第８の発明は、前記検索メッセージ送出手段は、前記検索メッセージを前記連携が確立されるまで所定回数だけマルチキャスト送信する構成とすることができる。これによると、連携の対象となる相手装置（いずれか他方）に検索メッセージをより確実に受信させることが可能となる。
【００３０】
上記課題を解決するためになされた第９の発明は、前記検索メッセージ送出手段は、前記マルチキャスト送信によって前連携が確立されない場合、前記検索メッセージを当該連携が確立されるまで所定回数だけブロードキャスト送信する構成とすることができる。
【００３１】
これによると、連携の対象となる相手装置（いずれか他方）に検索メッセージをより確実に受信させることが可能となる。特に、ＬＡＮにおいてＩＰ電話装置と受像機用アダプタ装置との接続を中継する中継装置（例えば、ルータ）がマルチキャスト送信に対応していない場合などに有効である。
【００３２】
上記課題を解決するためになされた第１０の発明は、前記ＩＰ電話装置と前記受像機用アダプタ装置とのいずれか一方が、ユーザの操作による前記連携のタイミングの設定に供する操作手段を更に有し、前記検索メッセージ送出手段は、前記操作手段におけるユーザの操作に応じて前記検索メッセージを送出する構成とすることができる。
【００３３】
これによると、ユーザが所望のタイミングでテレビ電話の通信を開始することが可能となる。例えば、ユーザがＩＰ電話装置のみを使用した音声通話中に操作手段を操作することで、ＩＰ電話装置と受像機用アダプタ装置との連携を確立し、音声データに加えて映像データの通信を開始することができる。
【００３４】
上記課題を解決するためになされた第１１の発明は、ＩＰ電話装置と連携し、前記ＩＰ電話装置の通話先との間で映像データを送受信する受像機用アダプタ装置であって、前記連携の対象となるＩＰ電話装置を検索すべく接続されたルータに自己の装置情報を含む検索メッセージを送出する検索メッセージ送出手段と、前記検索メッセージに応答した前記ＩＰ電話装置の装置情報を取得する情報取得手段と、前記取得した装置情報に基づき前記ＩＰ電話装置との連携を確立する連携処理手段とを有する構成とする。
【００３５】
上記課題を解決するためになされた第１２の発明は、通話先との間で映像データを送受信する通信装置と連携しつつＩＰ網を介して音声データを送受信するＩＰ電話装置であって、前記通信装置の装置情報を含む検索メッセージを前記通信装置から受信する受信手段と、前記検索メッセージを受信した通信装置に対し自己の装置情報を含む応答メッセージを送出する応答メッセージ送出手段と、前記受信した通信装置の装置情報に基づき前記通信装置との連携を確立する連携処理手段とを有する構成とする。
【００３６】
上記課題を解決するためになされた第１３の発明は、ＩＰ網を介して通話先との間で音声データを送受信するＩＰ電話装置と、このＩＰ電話装置にルータを介して接続され、前記通話先との間で映像データを送受信する受像機用アダプタ装置と、前記映像データに基づき映像を再生する受像機とを備えたＩＰテレビ電話システムにおける通信連携方法であって、前記ＩＰ電話装置および前記受像機用アダプタ装置が、前記ＬＡＮを介して互いの装置情報を交換するステップと、この交換した装置情報に基づき相互の連携を確立するステップとを実行する構成とする。
【００３７】
上記課題を解決するためになされた第１４の発明は、通信先との間で通信データを送受信する第１の通信装置と、この第１の通信装置にルータを介して接続され、前記通信先との間で前記通信データと同期させて別の通信データを送受信する第２の通信装置とを備えた通信システムであって、前記第１および第２の通信装置は、前記ルータを介して互いの装置情報を交換し、この交換した装置情報に基づき相互の連携を確立する構成とする。これによると、異なる通信データ（例えば、音声データと映像データ）を通信する通信装置間の連携を容易に確立することができる。
【００３８】
上記課題を解決するためになされた第１５の発明は、通信先との間で通信データを送受信する他の通信装置と連携し、前記通信先との間で前記通信データと同期させて別の通信データを送受信する通信装置であって、前記連携の対象となる前記他の通信装置を検索すべく自らが接続されたルータを介して自己の装置情報を含む検索メッセージを送出する検索メッセージ送出手段と、前記検索メッセージに応答した前記他の通信装置の装置情報を取得する情報取得手段と、前記取得した装置情報に基づき前記他の通信装置との連携を確立する連携処理手段とを有する構成とする。
【００３９】
これによると、通信装置は、連携の対象となる他の通信装置を容易に検索してその装置情報を取得することができる。この場合、連携の対象となる他の通信装置は、検索メッセージから連携相手の装置情報を取得することが可能である。
【００４０】
以下、本発明の実施の形態を、図面を参照しながら説明する。
【００４１】
図１は、本発明の第１の実施形態に係るＩＰテレビ電話システムの構成を示すシステム構成図である。このＩＰテレビ電話システム１は、ＩＰ網２を介して音声データを送受信するＩＰ電話装置３と、このＩＰ電話装置３にルータ７を介して接続され、ＩＰ電話装置３の音声データと同期させた映像データを送受信するテレビアダプタ装置（受像機用アダプタ装置）５と、このテレビアダプタ装置５から受信した映像データに基づき映像を再生するテレビジョン受像機６と、ＬＡＮ４に接続された各装置が送受信する各種データの中継処理を行うルータ７とを主として備える。また、ＩＰ網２には、ＩＰテレビ電話システム１の通信相手となるマルチメディア通信装置８がルータ９を介して接続されており、このマルチメディア通信装置８は、ＩＰ網２を介して通信相手との間で音声データおよび映像データを同期させて送受信可能なテレビ電話通信機能を有している。なお、マルチメディア通信装置８とルータ９とは、本ＩＰテレビ電話システム１と同様の構成としても構わない。
【００４２】
ＩＰテレビ電話システム１は、ＩＰ電話装置３とテレビアダプタ装置５との連携を確立することにより、マルチメディア通信装置８との間で所定の通信プロトコル（例えば、ＩＴＵ−Ｔ勧告Ｈ．３２３）に基づき音声および映像を用いたテレビ電話通信を実行することが可能である。詳細は後述するが、ＩＰ電話装置３および前記テレビアダプタ装置５は、マルチメディア通信装置８との通信に先立ちルータ７を介して装置情報を交換し、この交換した装置情報に基づき互いの連携を確立する。
【００４３】
ここで、「連携」とは、ＩＰ電話装置３またはテレビアダプタ装置５が、マルチメディア通信装置８とのテレビ電話通信において協働する対象装置を認識することであり、協働するのに必要な情報交換や設定等の動作を含む概念である。また、交換される装置情報には、機器種別を示す機器種別コード、ＩＰアドレスおよびポート番号の情報などが含まれる。
【００４４】
図２は、図１に示したＩＰテレビ電話システムにおけるテレビアダプタ装置およびテレビジョン受像機の詳細を示すブロック図である。
【００４５】
テレビアダプタ装置５は、ＩＰ電話装置３と協働してテレビ電話サービスを実現するための装置であり、映像を再生するテレビジョン受像機６に接続され、通信制御部２１、ネットワークＩ／Ｆ部（インタフェース）２２、表示制御部２３、表示出力部２４、カメラ２５、映像コーデック２６、リモートコントローラ２７、リモコン制御部２８、連携制御部２９および主制御部３０を主として備える。
【００４６】
通信制御部２１は、ネットワークＩ／Ｆ部２２を介してＬＡＮ４に接続され、ＩＰ電話装置３との連携の処理に関する通信や、ＩＰ網２を介したマルチメディア通信装置８との映像の通信を制御する。
【００４７】
表示制御部２３は、マルチメディア通信装置８から受信した映像データやカメラ２５での撮像によって生成された映像データをテレビジョン受像機６で表示するための画面表示データを生成する。表示出力部２４は、表示制御部２３が生成した画面表示データをテレビジョン受像機６に適合するビデオ信号に変換し、テレビジョン受像機６に対して送出する。
【００４８】
映像コーデック２６は、通信相手との間で送受信する映像データの符号化および復号化機能を有する。
【００４９】
リモコン制御部２８は、リモートコントローラ（操作手段）２７からユーザの動作指示の情報を含む制御信号（例えば、赤外線信号）を受信し、この制御信号を主制御部３０に対して送出する。主制御部３０はその制御信号に基づき各種動作を実行する。ユーザは、リモートコントローラ２７における図示しない操作キーを操作することにより、ＩＰ電話装置３との連携タイミングの設定などテレビアダプタ装置５に対して種々の動作指示を行うことができる。
【００５０】
連携制御部２９は、テレビアダプタ装置５をＵＰｎＰ(Universal Plug and Play)デバイスとして動作させるための制御機能を有しており、メッセージ送受信部４１、情報取得部４２、連携処理部４３および記憶部４４から主として構成される。ここで、メッセージ送受信部４１（検索メッセージ送出手段）は、連携の対象となるＩＰ電話装置３を検索すべく、ＳＳＤＰ(Simple Service Discovery Protocol)に基づき自己の装置情報を付加したＭ−ＳＥＡＲＣＨコマンド（検索メッセージ）をＬＡＮ４に送出する。さらに、メッセージ送受信部４１は、Ｍ−ＳＥＡＲＣＨコマンドを受信したＩＰ電話装置３から返信される２００ ＯＫ応答（応答メッセージ）を受信する。ＩＰ電話装置３から返信される２００ ＯＫ応答には、ＩＰ電話装置３の装置情報が付加されており、情報取得部（情報取得手段）４２は、２００ ＯＫ応答に含まれたＩＰ電話装置３の装置情報を取得する。連携処理部（連携処理手段）４３は、情報取得部４２が取得したＩＰ電話装置３の装置情報に基づきＩＰ電話装置３との連携を確立する。また、記憶部（記憶手段）４４は、フラッシュメモリ等の不揮発性メモリからなり、連携の対象となるＩＰ電話装置３の装置情報など連携の処理に関する各種情報を記憶する。
【００５１】
なお、連携処理部４３は、連携処理を初めて行う場合（例えば、システムの導入直後や各装置のリセット後）には、一旦連携を確立したＩＰ電話装置の装置情報を記憶部４４に記憶する。これにより、一旦連携を確立したＩＰ電話装置が、次回の連携処理を行う際に連携の対象とすべき装置として設定される。この記憶部４４に記憶された装置情報は、通信が終了して連携が解消された場合にもそのまま保持され、その後の連携処理において、連携処理部４３は、情報取得部４２が取得した装置情報と記憶部４４に記憶された装置情報とを比較し、両者が一致した場合にのみ再度の連携を確立（即ち、前回の連携を継続）する。
【００５２】
主制御部３０は、上記装置各部の動作を統括的に制御する。
【００５３】
また、テレビジョン受像機６は、外部入力Ｉ／Ｆ５１および表示部５２を主として備える。テレビアダプタ装置５の表示出力部２４から送出されるビデオ信号は、外部入力Ｉ／Ｆ５１に入力され、このビデオ信号に基づき表示部５２に映像が表示される。ここで用いるビデオ信号としては、例えば、ＮＴＳＣ（National Television Standards Committee）方式に準拠するコンポジットビデオ信号など周知のものを用いることができる。なお、テレビジョン受像機６は、図示しないチューナ部で受信したテレビ放送の映像データに基づき映像を再生することも可能である。
【００５４】
図３は、図１に示したＩＰテレビ電話システムにおけるＩＰ電話装置の詳細を示すブロック図である。このＩＰ電話装置３は、通信制御部６１、ネットワークＩ／Ｆ６２、表示制御部６３、ＬＣＤ（液晶ディスプレイ）６４、音声コーデック６５、ハンドセット６６、連携制御部６７および主制御部６８を主として備える。
【００５５】
通信制御部６１は、ネットワークＩ／Ｆ６２を介してＬＡＮ４に接続され、テレビアダプタ装置５との連携の処理に関する通信や、ＩＰ網２を介したマルチメディア通信装置８との音声の通信を制御する。
【００５６】
表示制御部６３は、ＩＰ電話装置３の動作や設定に関する種々の情報を画像や文字によってＬＣＤ６４に表示させるための制御を行う。ＬＣＤ６４には、テレビアダプタ装置５との連携処理に関する情報（例えば、連携対象となるテレビアダプタ装置５の装置情報や、連携の処理状況を示す情報等）が表示され、これにより、ユーザはテレビアダプタ装置５との連携状況を確認することができる。
【００５７】
音声コーデック６５は、通信相手との間で送受信する音声データの符号化および復号化機能を有する。
【００５８】
連携制御部６７は、ＩＰ電話装置３をＵＰｎＰデバイスとして動作させるための制御機能を有しており、メッセージ送受信部７１、情報取得部７２、連携処理部７３および記憶部７４から主として構成される。ここで、メッセージ送受信部７１は、連携の対象となるテレビアダプタ装置５から送出されるＭ−ＳＥＡＲＣＨコマンドを受信し、そのＭ−ＳＥＡＲＣＨコマンドに応じて自己の装置情報を付加した２００ ＯＫ応答をテレビアダプタ装置５に対して返信する。情報取得部７２は、Ｍ−ＳＥＡＲＣＨコマンドに含まれたテレビアダプタ装置５の装置情報を取得する。連携処理部７３は、情報取得部７２が取得した装置情報に基づきテレビアダプタ装置５との連携を確立する。また、記憶部７４は、フラッシュメモリ等の不揮発性メモリからなり、連携の対象となるテレビアダプタ装置５の装置情報など連携の処理に関する各種情報を記憶する。
【００５９】
なお、連携処理部７３は、連携処理を初めて行う場合には、一旦連携を確立したテレビアダプタ装置の装置情報を記憶部７４に記憶する。これにより、一旦連携を確立したテレビアダプタ装置が、次回の連携処理を行う際に連携の対象とすべき装置として設定される。この記憶部７４に記憶された装置情報は、通信が終了して連携が解消された場合にもそのまま保持され、その後の連携の処理において、連携処理部７３は、情報取得部７２が取得した装置情報と記憶部７４に記憶された装置情報とを比較し、両者が一致した場合にのみ再度の連携を確立（即ち、前回の連携を継続）する。
【００６０】
主制御部６８は、上記装置各部の動作を統括的に制御する。
【００６１】
次に、上記構成のＩＰ電話装置３とテレビアダプタ装置５との間の連携動作の詳細について説明する。
【００６２】
図４は、ＩＰ電話装置とテレビアダプタ装置との連携の処理において送受信されるメッセージの一例を示す図である。
【００６３】
図４（Ａ）は、連携の対象となるＩＰ電話装置３を検索すべくテレビアダプタ装置５が自己の装置情報を付加して送出するＭ−ＳＥＡＲＣＨコマンドの例を示している。このＭ−ＳＥＡＲＣＨコマンドにおいて、サーチターゲット（ST:）には、Ｍ−ＳＥＡＲＣＨコマンドの対象がＩＰ電話装置であることを示す「IP-TEL10-Device:1-0-」８１が記載されるとともに、Ｍ−ＳＥＡＲＣＨコマンドを送信したテレビアダプタ装置５の機器情報番号（符号化されたもの）を示す「4fuyK30Cj6A=」８２が記載されている。
【００６４】
このＭ−ＳＥＡＲＣＨコマンドをＩＰ電話装置３が受信すると、上記サーチターゲットの「IP-TEL10-Device:1-0-」８１の情報からＩＰ電話装置３がＭ−ＳＥＡＲＣＨコマンドの対象であるか否かを判断することができ、また、「4fuyK30Cj6A=」８２の情報からＭ−ＳＥＡＲＣＨコマンドの送信元の機器種別を確認し、その送信元との連携の可否を判断することができる。
【００６５】
図４（Ｂ）は、Ｍ−ＳＥＡＲＣＨコマンドを受信したＩＰ電話装置３から返信される２００ ＯＫ応答の例を示している。この２００ ＯＫ応答において、ロケーション（Location:）には、ＩＰ電話装置３のＩＰアドレスおよびポート番号を示す「192.168.2.100:30009」８３と、ＩＰ電話装置３の機器情報番号を示す「IsJWjFkb66s=」８４が記載されている。
【００６６】
この２００ ＯＫ応答をテレビアダプタ装置５が受信すると、上記ロケーションの「192.168.2.100:30009」８３の情報から、ＩＰ電話装置３のＩＰアドレスおよびポート番号を確認することができ、また、「IsJWjFkb66s=」８４の情報から２００ ＯＫ応答の返信元の機器種別を確認し、その送信元との連携の可否を判断することができる。
【００６７】
図５は、図１から図３に示したＩＰ電話装置とテレビアダプタ装置との間の連携時の通信手順を示すシーケンス図である。ここでは、ＩＰ電話装置とテレビアダプタ装置との間の連携処理を初めて行う場合（例えば、システムの導入直後や各装置のリセット後）を一例として示す。また、連携開始時においてＩＰ電話装置３は単独で音声通信を実行中か、或いは単に起動した状態にあるものとする
テレビアダプタ装置５が起動すると（Ｓ１０１）、自己の装置情報として機器情報番号等を付加したＭ−ＳＥＡＲＣＨコマンド（図４（Ａ）参照）を、ルータ７を介してルータ７配下のＩＰ電話装置に送出する（Ｓ１０２）。ＩＰ電話装置３は、そのＭ−ＳＥＡＲＣＨコマンドを受信することにより、Ｍ−ＳＥＡＲＣＨコマンドに含まれたテレビアダプタ装置の機器情報番号を取得することができる。ここで、ＩＰ電話装置３の記憶部７４には未だ機器情報番号が記憶されていないので、取得した機器情報番号を記憶部７４に記憶し、テレビアダプタ装置５との連携を確立する。ここで、記憶部７４に記憶された機器情報番号は、次回の連携処理の際に連携の対象とすべき装置を示す情報として利用される。
【００６８】
そこで、ＩＰ電話装置３は、自己の装置情報として機器情報番号等を付加した２００ ＯＫ応答（図４（Ｂ）参照）をテレビアダプタ装置５に対して返信する（Ｓ１０３）。テレビアダプタ装置５は、ＩＰ電話装置３からの２００ ＯＫ応答を受信することにより、２００ ＯＫ応答に含まれたＩＰ電話装置の機器情報番号を取得することができる。ここでは、テレビアダプタ装置５の記憶部４４には未だ機器情報番号が記憶されていないので、取得した機器情報番号を記憶部４４に記憶し、ＩＰ電話装置３との連携を確立する。
【００６９】
その後、ユーザがリモートコントローラ２７を操作してテレビ電話通信の開始を指示すると（Ｓ１０４）、テレビアダプタ装置５は、Ｓ１０２と同様に再びＭ−ＳＥＡＲＣＨコマンドを送出する（Ｓ１０５）。そこで、ＩＰ電話装置３は、そのＭ−ＳＥＡＲＣＨコマンドに含まれた機器情報番号を取得し、その取得した機器情報番号と既に記憶部７４に記憶されている機器情報番号とを比較する。ここでは、それらの機器情報番号は一致するので、ＩＰ電話装置３は、Ｓ１０３と同様に２００ ＯＫ応答を返信する（Ｓ１０６）。
【００７０】
テレビアダプタ装置５は、その２００ ＯＫ応答に含まれた機器情報番号を取得し、その取得した機器情報番号と既に記憶部４４に記憶されている機器情報番号とを比較する。ここでは、それらの機器情報番号は一致するので、テレビアダプタ装置５は、先の起動の際に確立されたＩＰ電話装置３との連携を継続する。
【００７１】
なお、上記Ｓ１０２またはＳ１０５において、テレビアダプタ装置５は、ＩＰ電話装置３からの２００ ＯＫ応答を受信するまで所定の回数（例えば、４回）だけＭ−ＳＥＡＲＣＨコマンドを繰り返しマルチキャスト送信することができる。さらに、テレビアダプタ装置５は、そのマルチキャスト送信後に未だＩＰ電話装置３から２００ ＯＫ応答を受信していない場合、ＩＰ電話装置３から２００ ＯＫ応答を受信するまで所定の回数（例えば、５回）だけＭ−ＳＥＡＲＣＨコマンドを繰り返しブロードキャスト送信することができる。これにより、連携の対象となるＩＰ電話装置３が検索メッセージを受信できずに連携の処理が中断されるというトラブルを回避することができる。
【００７２】
図６は、図１から図３に示したＩＰ電話装置とテレビアダプタ装置との間の再連携時の通信手順を示すシーケンス図である。
【００７３】
まず、図５に示したＳ１０２〜Ｓ１０３と同様に、テレビアダプタ装置５が起動すると（Ｓ２０１）、テレビアダプタ装置５がＭ−ＳＥＡＲＣＨコマンドを送出する一方（Ｓ２０２）、ＩＰ電話装置３が２００ ＯＫ応答を返信する（Ｓ２０３）。これにより、テレビアダプタ装置５とＩＰ電話装置３との相互の連携が確立される。
【００７４】
このように連携が確立された後に、トラブル等が生じてテレビアダプタ装置５の電源が遮断されると（Ｓ２０４）、テレビアダプタ装置５はユーザによりまたは自動的に再起動される（Ｓ２０５）。テレビアダプタ装置５は、この再起動に応じて、Ｓ２０２と同様に再びＭ−ＳＥＡＲＣＨコマンドを送出する（Ｓ２０６）。そこで、ＩＰ電話装置３は、そのＭ−ＳＥＡＲＣＨコマンドに含まれた機器情報番号を取得し、その取得した機器情報番号と既に記憶部７４に記憶されている機器情報番号とを比較する。ここでは、それらの機器情報番号は一致するので、ＩＰ電話装置３は、Ｓ２０３と同様に２００ ＯＫ応答を返信する（Ｓ２０７）。
【００７５】
テレビアダプタ装置５は、その２００ ＯＫ応答に含まれた機器情報番号を取得し、その取得した機器情報番号と既に記憶部４４に記憶されている機器情報番号とを比較する。ここでは、それらの機器情報番号は一致するので、テレビアダプタ装置５は、先の起動の際に確立されたＩＰ電話装置３との連携を継続する。
【００７６】
このようにして、トラブル等により電源が遮断されても再起動の後に速やかに連携を継続することが可能となる。なお、図５のＳ１０４〜Ｓ１０６について示したような連携の継続が実行された後に、上記Ｓ２０４のように電源が遮断された場合も同様である。
【００７７】
図７は、図２に示したテレビアダプタ装置における連携処理の動作を示すフロー図である。ＩＰ電話装置３と連携するための処理が開始されると、まず、メッセージ送受信部４１は、テレビアダプタ装置５の機器情報番号等を付加したＭ−ＳＥＡＲＣＨコマンドを生成してルータ７配下のＩＰ電話装置（この例ではＩＰ電話装置３）にマルチキャスト送信する（Ｓ３０１）。続いて、２００ ＯＫ応答の受信処理を実行し（Ｓ３０２）、所定の時間内にＩＰ電話装置３の機器情報番号を含む２００ ＯＫ応答を受信したか否かを判定する（Ｓ３０３）。
【００７８】
そこで、所定の時間内に２００ ＯＫ応答を受信した場合、連携処理部４３は、記憶部４４に機器情報番号が記憶されているか否かを確認することにより、既に所定のＩＰ電話装置と連携済みであるか否かを判定する（Ｓ３０４）。既に記憶部４４に機器情報番号が記憶されており、連携済みであると判定された場合、連携処理部４３は、２００ ＯＫ応答に含まれたＩＰ電話装置３の機器情報番号と記憶部４４に記憶された機器情報番号とを比較する（Ｓ３０５）。その比較の結果、双方の機器情報番号が一致した場合（Ｓ３０６：ＹＥＳ）、それにより連携が確立されたとしてユーザに対して連携の完了を通知し（Ｓ３０７）、連携処理の動作は終了する。この完了の通知は、例えば、テレビジョン受像機６の表示部５２にテレビアダプタ装置５の連携処理が終了した旨のメッセージを表示することにより行うことができる。
【００７９】
一方、Ｓ３０４において、記憶部４４に機器情報番号が記憶されておらず、連携済みでないと判定された場合、受信した２００ ＯＫ応答に含まれたＩＰ電話装置３の機器情報番号を記憶部４４に記憶し（Ｓ３０８）、上記と同様にユーザに対して連携の完了を通知し（Ｓ３０７）、連携処理の動作は終了する。
【００８０】
また、Ｓ３０３において、所定の時間が経過しても２００ ＯＫ応答を受信しない場合、あるいは、Ｓ３０６で機器情報番号が一致しない場合、メッセージ送受信部４１は、Ｍ−ＳＥＡＲＣＨコマンドをマルチキャスト送信した回数Ｍが規定回数Ｘに到達したか否か（Ｍ≧Ｘ？）を判定する（Ｓ３０９）。そこで、送信回数Ｍが規定回数Ｘに到達していない場合、再びＳ３０１と同様にＭ−ＳＥＡＲＣＨコマンドをマルチキャスト送信し（Ｓ３１０）、マルチキャスト送信の回数Ｍをインクリメントし（Ｓ３１１）、再びＳ３０２に戻る。なお、Ｓ３０６で機器情報番号が一致しない場合というのは、ＬＡＮ４上に複数のＩＰ電話装置が存在し、最初に連携した装置とは別のＩＰ電話装置から先に２００ ＯＫ応答を受信した場合が考えられる。
【００８１】
ＩＰ電話装置３からの２００ ＯＫ応答を受信できないまま、あるいは、記憶された機器情報番号のＩＰ電話装置から２００ ＯＫ応答を受信できないまま、最終的にＭ−ＳＥＡＲＣＨコマンドの送信回数Ｍが規定回数Ｘに到達すると（Ｓ３０９：ＹＥＳ）、メッセージ送受信部４１は、Ｍ−ＳＥＡＲＣＨコマンドのマルチキャスト送信を中止し、ブロードキャスト送信に切り換える。そこで、ブロードキャスト送信した回数Ｎが規定回数Ｙに到達したか否かを判定し（Ｓ３１２）、送信回数Ｎが規定回数Ｙに到達していない場合、再びＭ−ＳＥＡＲＣＨコマンドをブロードキャスト送信し（Ｓ３１３）、ブロードキャスト送信の回数Ｍをインクリメントし（Ｓ３１４）、再びＳ３０２に戻る。
【００８２】
最終的にＭ−ＳＥＡＲＣＨコマンドの送信回数Ｎが規定回数Ｙに到達すると（Ｓ３１２：ＹＥＳ）、連携処理において異常が発生したと判断してユーザに対してエラーを通知する（Ｓ３１５）。
【００８３】
図８は、図３に示したＩＰ電話装置の連携処理の動作を示すフロー図である。ＩＰ電話装置３が起動すると、Ｍ−ＳＥＡＲＣＨコマンドの受信処理を実行し（Ｓ４０１）、テレビアダプタ装置５の機器情報番号を含むＭ−ＳＥＡＲＣＨコマンドの受信待ちの状態となる（Ｓ４０２）。そこで、Ｍ−ＳＥＡＲＣＨコマンドを受信すると（Ｓ４０２：ＹＥＳ）、連携処理部７３は、記憶部７４に機器情報番号が記憶されているか否かを確認することにより、既に所定のテレビアダプタ装置と連携済みであるか否かを判定する（Ｓ４０３）。
【００８４】
既に記憶部７４に機器情報番号が記憶されており、連携済みであると判定された場合、連携処理部７３は、Ｍ−ＳＥＡＲＣＨコマンドに含まれたテレビアダプタ装置５の機器情報番号と記憶部７４に記憶された機器情報番号とを比較する（Ｓ４０４）。その比較の結果、双方の機器情報番号が一致した場合（Ｓ４０５：ＹＥＳ）、それにより連携が確立されたとしてユーザに対して連携の完了を通知し（Ｓ４０６）、ＩＰ電話装置３の機器情報番号等を含む２００ ＯＫ応答をテレビアダプタ装置５に対して送信する（Ｓ４０７）。この完了の通知は、例えば、ＩＰ電話装置３のＬＣＤ６４にＩＰ電話装置３の連携処理が終了した旨のメッセージを表示することにより行うことができる。
【００８５】
一方、Ｓ４０３において、記憶部７４に機器情報番号が記憶されておらず、連携済みでないと判定された場合、受信したＭ−ＳＥＡＲＣＨコマンドに含まれたテレビアダプタ装置５の機器情報番号を記憶部７４に記憶し（Ｓ４０８）、上記と同様にユーザに対して連携の完了を通知し（Ｓ４０６）、２００ ＯＫ応答を送信する（Ｓ４０７）。
【００８６】
また、Ｓ４０５において、記憶部７４に記憶された機器情報番号と一致しない場合（Ｓ４０５：ＮＯ）、同一のＬＡＮ４上の連携していない別のテレビアダプタ装置からのＭ−ＳＥＡＲＣＨコマンドを受信したことになるため、Ｓ４０１に戻って次のＭ−ＳＥＡＲＣＨコマンドの受信を待つ。
【００８７】
図９は、本発明の第２の実施形態に係るＩＰテレビ電話システムの構成を示すシステム構成図である。このＩＰテレビ電話システム１０１は、図１に示したＩＰテレビ電話システム１と概ね同様の構成を有するが、ＩＰ電話装置１０３を更に備える点において異なる。つまり、図９のシステムでは、テレビ電話機能を持たない通話のみ可能なＩＰ電話装置１０３が追加された状態を示す。ここで、図１に示したＩＰテレビ電話システム１と同様の構成要素については、同一の符号が付してあり、ＩＰ電話装置１０３は、ＩＰ電話装置３と同様の装置であるとする。また、図示していないが、ＩＰテレビ電話システム１０１の通信相手についても図１の場合と同様である。なお、ＩＰテレビ電話システム１０１について、以下で特に言及しない事項については、図１〜図８で説明したＩＰテレビ電話システム１の場合と同様である。
【００８８】
図１０は、図９に示したＩＰ電話装置とテレビアダプタ装置との間の連携時の通信手順を示すシーケンス図である。
【００８９】
テレビアダプタ装置５が起動すると（Ｓ５０１）、自己の装置情報として機器情報番号等を付加したＭ−ＳＥＡＲＣＨコマンド（図４（Ａ）参照）を、ルータ７を介してルータ７配下のＩＰ電話装置に送出する（Ｓ５０２）。ＩＰ電話装置３がそのＭ−ＳＥＡＲＣＨコマンドを受信すると、その記憶部７４には未だ機器情報番号が記憶されていないので、取得した機器情報番号を記憶部７４に記憶し、テレビアダプタ装置５との連携を確立する。同様に、ＩＰ電話装置１０３がそのＭ−ＳＥＡＲＣＨコマンドを受信すると、その記憶部には未だ機器情報番号が記憶されていないので、取得した機器情報番号を記憶部に記憶する。
【００９０】
そこで、ＩＰ電話装置３は、自己の装置情報として機器情報番号等を付加した２００ ＯＫ応答（図４（Ｂ）参照）をテレビアダプタ装置５に対して返信する（Ｓ５０３）。同様に、ＩＰ電話装置１０３は、自己の装置情報として機器情報番号等を付加した２００ ＯＫ応答をテレビアダプタ装置５に対して返信する（Ｓ５０４）。
【００９１】
テレビアダプタ装置５がＩＰ電話装置３からの２００ ＯＫ応答を受信すると、その記憶部４４には未だ機器情報番号が記憶されていないので、取得した機器情報番号を記憶部４４に記憶し、ＩＰ電話装置３との連携を確立する。一方、テレビアダプタ装置５がＩＰ電話装置３からの２００ ＯＫ応答を受信した後にＩＰ電話装置１０３からの２００ ＯＫ応答を受信すると、その２００ ＯＫ応答に含まれた機器情報番号を取得し、その機器情報番号と既に記憶部４４に記憶されているＩＰ電話装置３の機器情報番号とを比較する。ここでは、それらの機器情報番号は一致しないので、テレビアダプタ装置５はＩＰ電話装置１０３からの２００ ＯＫ応答を拒否する。
【００９２】
なお、ここでは、ＩＰ電話装置３からの２００ ＯＫ応答がＩＰ電話装置１０３からの２００ ＯＫ応答よりも先に受信される場合を示したが、ＩＰ電話装置１０３の２００ ＯＫ応答が先に受信された場合には、ＩＰ電話装置３の２００ ＯＫ応答が拒否されることになる。
【００９３】
その後、ユーザがリモートコントローラ２７を操作してテレビ電話通信の開始を指示すると（Ｓ５０５）、テレビアダプタ装置５は、Ｓ５０２と同様に再びＭ−ＳＥＡＲＣＨコマンドを送出する（Ｓ５０６）。そこで、ＩＰ電話装置３は、そのＭ−ＳＥＡＲＣＨコマンドに含まれた機器情報番号を取得し、その取得した機器情報番号と既に記憶部７４に記憶されている機器情報番号とを比較する。ここでは、それらの機器情報番号は一致するので、ＩＰ電話装置３は、Ｓ５０３と同様に２００ ＯＫ応答を返信する（Ｓ５０７）。同様に、ＩＰ電話装置１０３がそのＭ−ＳＥＡＲＣＨコマンドを受信すると、その取得した機器情報番号と既に記憶部に記憶されている機器情報番号とを比較する。ここでは、それらの機器情報番号は一致するので、ＩＰ電話装置１０３は、２００ ＯＫ応答を返信する（Ｓ５０８）。
【００９４】
テレビアダプタ装置５は、ＩＰ電話装置３からの２００ ＯＫ応答を受信すると、その２００ ＯＫ応答に含まれた機器情報番号をと既に記憶部４４に記憶されている機器情報番号とを比較する。ここでは、それらの機器情報番号は一致するので、テレビアダプタ装置５は、先の起動の際に確立されたＩＰ電話装置３との連携を継続する。一方、テレビアダプタ装置５がＩＰ電話装置１０３からの２００ ＯＫ応答を受信すると、その２００ ＯＫ応答に含まれたと既に記憶部４４に記憶されているＩＰ電話装置３の機器情報番号とを比較する。ここでは、それらの機器情報番号は一致しないので、テレビアダプタ装置５はＩＰ電話装置１０３からの２００ ＯＫ応答を拒否する。
【００９５】
このようにして、複数のＩＰ電話装置がＬＡＮ４に接続された場合でも適切な連携処理が可能である。ここでは、２台のＩＰ電話装置を接続した例を示したが、更にＩＰ電話装置の数を増やした場合でも同様の処理が可能である。
【００９６】
以上の説明では、一番先に応答を返したＩＰ電話装置と連携する場合について説明したが、別法として、Ｓ５０２またはＳ５０６においてテレビアダプタ装置５が送信するＭ−ＳＥＡＲＣＨコマンドに当該Ｍ−ＳＥＡＲＣＨコマンドを受信すべきＩＰ電話装置３を指定する宛先情報（機器情報番号など）を付加することで、そのＭ−ＳＥＡＲＣＨコマンドを受信したＩＰ電話装置１０３が連携を確立せずにＭ−ＳＥＡＲＣＨコマンドを拒否するような構成も可能である。
【００９７】
また、テレビアダプタ装置５が、複数のＩＰ電話装置から２００ ＯＫ応答を受信して、２００ ＯＫ応答に含まれるＩＰ電話装置の機器情報番号から、連携するＩＰ電話装置を選択するような構成も可能である。
【００９８】
図１１は、本発明の第３の実施形態に係るＩＰテレビ電話システムの構成を示すシステム構成図である。このＩＰテレビ電話システム２０１は、図１に示したＩＰテレビ電話システム１と概ね同様の構成を有するが、テレビアダプタ装置２０５およびテレビジョン受像機２０６を更に備える点において異なる。図１１のシステムは、例えばルータ６配下にＩＰ電話装置とテレビアダプタとテレビジョン受像機が各々２台ずつ設置されているが、１台のＩＰ電話装置の電源が切られているような場合が考えられる。ここで、図１に示したＩＰテレビ電話システム１と同様の構成要素については、同一の符号が付してあり、テレビアダプタ装置２０５およびテレビジョン受像機２０６は、テレビアダプタ装置５およびテレビジョン受像機６とそれぞれ同様の装置であるとする。また、図示していないが、ＩＰテレビ電話システム２０１の通信相手についても図１の場合と同様である。なお、ＩＰテレビ電話システム２０１について、以下で特に言及しない事項については、図１〜図８で説明したＩＰテレビ電話システム１の場合と同様である。
【００９９】
図１２は、図１１に示したＩＰ電話装置とテレビアダプタ装置との間の連携時の動作を示すシーケンス図である。
【０１００】
テレビアダプタ装置５が起動すると（Ｓ６０１）、自己の装置情報として機器情報番号等を付加したＭ−ＳＥＡＲＣＨコマンド（図４（Ａ）参照）を、ルータ６を介してルータ６配下のＩＰ電話装置に送出する（Ｓ６０２）。ＩＰ電話装置３がそのＭ−ＳＥＡＲＣＨコマンドを受信すると、その記憶部７４には未だ機器情報番号が記憶されていないので、取得した機器情報番号を記憶部７４に記憶し、ＩＰ電話装置３は、自己の装置情報として機器情報番号等を付加した２００ ＯＫ応答（図４（Ｂ）参照）をテレビアダプタ装置５に対して返信する（Ｓ６０３）。
【０１０１】
その後、テレビアダプタ装置２０５が起動すると（Ｓ６０４）、自己の装置情報として機器情報番号等を付加したＭ−ＳＥＡＲＣＨコマンドをＬＡＮ４に送出する（Ｓ６０５）。ＩＰ電話装置３がそのＭ−ＳＥＡＲＣＨコマンドを受信すると、そのＭ−ＳＥＡＲＣＨコマンドに含まれた機器情報番号と既に記憶部に記憶されている機器情報番号とを比較する。ここでは、それらの機器情報番号は一致しないので、ＩＰ電話装置３は、２００ ＯＫ応答を返信しない。
【０１０２】
なお、ここでは、テレビアダプタ装置５をテレビアダプタ装置２０５よりも先に起動して連携の処理を開始した場合を示したが、テレビアダプタ装置２０５を先に起動した場合には、逆にテレビアダプタ装置２０５とＩＰ電話装置３との間の連携が確立されることになる。
【０１０３】
その後、ユーザがリモートコントローラ２７を操作してテレビ電話通信の開始を指示すると（Ｓ６０６）、テレビアダプタ装置５は、Ｓ６０２と同様に再びＭ−ＳＥＡＲＣＨコマンドを送出する（Ｓ６０７）。そこで、ＩＰ電話装置３は、そのＭ−ＳＥＡＲＣＨコマンドに含まれた機器情報番号を取得し、その取得した機器情報番号と既に記憶部７４に記憶されている機器情報番号とを比較する。ここでは、それらの機器情報番号は一致するので、ＩＰ電話装置３は、Ｓ６０３と同様に２００ ＯＫ応答を返信する（Ｓ６０８）。
【０１０４】
テレビアダプタ装置５は、その２００ ＯＫ応答に含まれた機器情報番号を取得し、その取得した機器情報番号と既に記憶部４４に記憶されている機器情報番号とを比較する。ここでは、それらの機器情報番号は一致するので、テレビアダプタ装置５は、先の起動の際に確立されたＩＰ電話装置３との連携を継続する。
【０１０５】
このようにして、複数のテレビアダプタ装置がＬＡＮ４に接続された場合でも最初に確立された連携を安定的に保持することができる。ここでは、２台のテレビアダプタ装置を接続した例を示したが、更にテレビアダプタ装置の数を増やした場合でも同様の処理が可能である。
【０１０６】
本発明を特定の実施形態に基づいて詳細に説明したが、これらの実施形態はあくまでも例示であって本発明はこれらの実施形態によって限定されるものではない。例えば、連携処理について、実施形態で示したテレビアダプタ装置の連携制御部と同様の動作をＩＰ電話装置で実行する一方、実施形態で示したＩＰ電話装置の連携制御部と同様の動作をテレビアダプタ装置で実行する構成も可能である。
【産業上の利用可能性】
【０１０７】
本発明にかかる受像機用アダプタ装置、ＩＰ電話装置、ＩＰテレビ電話システムおよびＩＰテレビ電話システムにおける通信連携方法ならびに通信装置および通信システムは、音声、映像等の情報を個別に通信する複数の装置間の連携を容易に確立することができるという優れた効果を奏するものであり、ＩＰ電話装置と受像機を協働させてテレビ電話サービスを実現する受像機用アダプタ装置、ＩＰ電話装置、ＩＰテレビ電話システムおよびＩＰテレビ電話システムにおける通信連携方法ならびに所定のマルチメディア通信を行う通信装置および通信システムとして有用である。
【図面の簡単な説明】
【０１０８】
【図１】本発明の第１の実施形態に係るＩＰテレビ電話システムのシステム構成図
【図２】図１のテレビアダプタ装置およびテレビジョン受像機の詳細を示すブロック図
【図３】図１のＩＰ電話装置の詳細を示すブロック図
【図４】ＩＰ電話装置とテレビアダプタ装置との連携の処理において送受信されるメッセージの一例を示す図
【図５】ＩＰ電話装置とテレビアダプタ装置との間の連携時の通信手順を示すシーケンス図
【図６】ＩＰ電話装置とテレビアダプタ装置との間の再連携時の通信手順を示すシーケンス図
【図７】テレビアダプタ装置の連携処理の動作を示すフロー図
【図８】ＩＰ電話装置の連携処理の動作を示すフロー図
【図９】本発明の第２の実施形態に係るＩＰテレビ電話システムのシステム構成図
【図１０】図９に示したＩＰ電話装置とテレビアダプタ装置との間の連携時の通信手順を示すシーケンス図
【図１１】本発明の第３の実施形態に係るＩＰテレビ電話システムのシステム構成図
【図１２】図１１に示したＩＰ電話装置とテレビアダプタ装置との間の連携時の通信手順を示すシーケンス図
【符号の説明】
【０１０９】
１，１０１，２０１  ＩＰテレビ電話システム
２  ＩＰ網
３，１０３  ＩＰ電話装置
４  ＬＡＮ
５，２０５  テレビアダプタ装置（受信機用アダプタ装置）
６，２０６  テレビジョン受像機
４１，７１  メッセージ送受信部（検索メッセージ送出手段、応答メッセージ送出手段）
４２，７２  情報取得部（情報取得手段）
４３，７３  連携処理部（連携処理手段）
４４，７４  記憶部（記憶手段）
【図１】
2007110491.tif 000003
【図２】
2007110491.tif 000004
【図３】
2007110491.tif 000005
【図４】
2007110491.tif 000006
【図５】
2007110491.tif 000007
【図６】
2007110491.tif 000008
【図７】
2007110491.tif 000009
【図８】
2007110491.tif 000010
【図９】
2007110491.tif 000011
【図１０】
2007110491.tif 000012
【図１１】
2007110491.tif 000013
【図１２】
2007110491.tif 000014